(57)【要約】【課題】余分な燃料消費を抑制するとともに、過剰補正や補正不足による始動不良や発進不良を抑制し、且つアイドルストップ解除後のエンジン再始動から発進までにおいて、車両の状況に応じたエンジンのトルク量に対する最適な始動時燃料量が制御するエンジン始動制御装置を得る。【解決手段】エンジンの始動制御装置は、エンジンのトルク量に対応する再始動時の基本燃料量を演算する手段と、エンジンの回転抵抗に関連する第１の関連量を推定する第１の関連量推定手段と、トランスミッションの回転抵抗に関連する第２の関連量を推定する第２の関連量推定手段と、第１の関連量と第２の関連量との差に基づいて、基本燃料量の補正の必要性を判断する手段と、補正が必要なとき差に対応する燃料補正量を演算し、燃料補正量により補正された基本燃料量を、補正が不必要と判断されたときに基本燃料量を再始動時燃料量として設定する手段とを備えている。【選択図】図５
2012067726.tif 000002
【特許請求の範囲】
【請求項１】
歯車噛み合い式の始動装置を制御する始動制御装置において、
エンジンの再始動から発進までに必要とする上記エンジンのトルク量に対応する再始動時の基本燃料量を演算する手段と、
エンジンの回転抵抗に関連する第１の関連量を推定する第１の関連量推定手段と、
トランスミッションの回転抵抗に関連する第２の関連量を推定する第２の関連量推定手段と、
上記第１の関連量と上記第２の関連量との関連量の差に基づいて、上記基本燃料量の補正の必要性を判断する手段と、
補正が必要と判断されたときに上記関連量の差に対応する燃料補正量を演算し、該燃料補正量により補正された上記基本燃料量を再始動時燃料量として設定する手段と、
補正が不必要と判断されたときに上記基本燃料量を再始動時燃料量として設定する手段と
を備えていることを特徴とするアイドルストップ車のエンジン始動制御装置。
【請求項２】
上記再始動時の基本燃料量を演算する手段は、予め実機で実験的に求められた上記エンジンの冷却水の温度と再始動時基本燃料量との関係を示すマップを水温センサからの水温により検索して上記基本燃料量を演算することを特徴とする請求項１に記載のアイドルストップ車のエンジン始動制御装置。
【発明の詳細な説明】
【技術分野】
【０００１】
この発明は、歯車噛み合い式の始動装置でエンジンの始動を行うアイドルストップ車のエンジン始動制御装置に関するものである。
【背景技術】
【０００２】
無駄な燃料の消費を抑える手段として、アイドルストップ機能を備えたアイドルストップ車がある。アイドルストップ機能は、走行している車両が停止した際に、所定の停止条件を満たすと、エンジンの運転を停止させ、その後、車両を発進させようとした場合、所定の発進条件を満たすとエンジンを再始動させる機能をいう。
【０００３】
通常、エンジンの始動には、リダクション歯車式などの歯車伝動機構を介して動力をエンジンに伝達するスタータが始動装置として用いられる。
一般にスタータには、出力軸にピニオンギヤを組付けたスタータモータが用いられる。そして、スタータモータのピニオンギヤをエンジンのフライホイールの外周部にあるリングギヤに噛み合わせ、スタータモータからフライホイールへ動力を伝えることにより、エンジンを始動し、エンジン始動後にピニオンギヤをリングギヤから離脱するようにしてある。
【０００４】
アイドルストップ車は、こうしたスタータにより自動的にエンジンの再始動が行われる。ところで、冷態時にエンジンを始動させる場合、このときのエンジンの回転抵抗に関連する関連量（フリクション）の増大により、始動に求められるトルク量は、温態時よりもかなり大きい。
そこで、アイドルストップ車は、回転抵抗に関連する関連量（フリクション）の大小が温度に相関関係があるという物理的現象を利用して、エンジンの冷却水の温度情報に基づき、間接的にエンジンの潤滑油の粘度を推定する技術が提案されている（例えば、特許文献１参照）。
【０００５】
特許文献１に記載のアイドルストップ車では、エンジンの冷却水の温度情報から回転抵抗に関連する関連量（フリクション）の大小を推定して、アイドルストップ解除後の再始動時の燃料量を設定している。
ところで、車両が冷態時より発進し走行と停車を繰り返した場合、エンジンの冷却水の温度上昇よりもトランスミッションの潤滑油の温度上昇が遅い傾向にある。
【０００６】
また、エンジンの冷却水の温度上昇は、停車時のアイドルストップの有無に関係なく同じであるが、トランスミッションにおいては、停車時のアイドルストップの有無で潤滑油の温度上昇傾向に違いが発生する。トランスミッションの潤滑油の温度上昇は、停車時にアイドルストップを実施しない場合に比べ、アイドルストップを実施する場合の方が更に遅くなる傾向にある。
すなわち、車両が冷態時から発進して走行と停車を繰り返した場合、エンジンの回転抵抗に関連する関連量（フリクション）とトランスミッションの回転抵抗に関連する関連量（フリクション）にフリクションの差が発生し、アイドルストップを実施することでその差が更に大きくなる。
【０００７】
よって、特許文献１に記載のアイドルストップ車のようにトランスミッションの回転抵抗に関連する関連量（フリクション）を考慮せずに、エンジンの回転抵抗に関連する関連量（フリクション）のみの推定だけでは、トランスミッションの暖機が完了していない場合において、アイドルストップ解除後の再始動から発進時にエンジンのトルク量の不足で、燃焼不良による発進不良や排ガスが悪化する可能性がある。
【０００８】
この問題の解決手段として、トランスミッションの回転抵抗に関連する関連量（フリクション）に関係なく、如何なる車両の状況においても、エンジンの再始動から発進までに必要なエンジンのトルク量を満足するように、予め再始動時の燃料量を増量しておく。
【０００９】
また、別の解決手段として、発進からトランスミッションの暖機が完了するまで、環境温度変化によらず、安定した走行操作性を確保するために、エンジンの冷却水の温度情報に基づくエンジンの目標トルクとトランスミッションの潤滑油の温度情報に基づくトランスミッションの目標トルクと基本目標トルクとを加算して算出された最終目標トルクに基づいて、目標吸入空気量相当となるようにスロットル開度を開き側に制御し、吸入空気量の増量補正を介して燃料量を増量補正してエンジンのトルク量を補正したり、トランスミッションの潤滑油温に基づいて、点火時期を進角側に制御し、エンジンのトルク量を補正
する技術が提案されている（例えば、特許文献２を参照）。
【００１０】
また、別の解決手段として、歯車噛み合い式の始動装置以外の始動装置を使う方法がある。エンジンに組付けているオルタネータの代わりに、モータ・ジェネレータを設けて、このモータ・ジェネレータから出力される動力を、ベルトを介して（ベルト伝動機構）、エンジンのクランクシャフトへ伝え、歯車の噛み合いのない始動装置である。
この始動装置のベルト伝動機構を利用して、エンジンのトルク不足を補う為に、エンジン回転速度が安定するまでアシストする技術が提案されている（例えば、特許文献３参照）。
【００１１】
再始動時における最終目標トルクの算出方法は、始動時フリクション、基本目標トルク、エンジンフリクション（水温補正トルク）、トランスミッションフリクション（作動油温補正トルク）の４つのパラメータを演算して、それぞれの演算値を加算することで求められる。
【先行技術文献】
【特許文献】
【００１２】
【特許文献１】特開２００５−４２５７２号公報
【特許文献２】特開２００７−３３２７７５号公報
【特許文献３】特開２００１−３０４００７号公報
【発明の概要】
【発明が解決しようとする課題】
【００１３】
しかし、特許文献２に記載のアイドルストップ車では、アイドルストップ車特有のアイドルストップ解除後の再始動において、最終目標トルクの算出方法に問題がある。
すなわち、それぞれのパラメータの演算値には数％の演算誤差が考えられ、それぞれのパラメータを加算することで演算誤差が増大する。そして、パラメータの演算誤差が増大することにより、最終目標トルクが過剰補正または補正不足となる。過剰補正の場合は、始動時のエンジンの吹け上がりや発進時に車両の飛び出し感が増すことでドライバビリティに悪影響を与えたり、補正不足の場合は、始動不良によるエンストや発進時のもたつきなどが発生したりする可能性がある。
【００１４】
また、始動時フリクション、基本目標トルク、エンジンフリクション、トランスミッションフリクションの４つのパラメータを予め実機で実験的にマッチングしておく必要がある。
【００１５】
また、特許文献３に記載のアイドルストップ車の始動装置は、歯車噛み合い式の始動装置に比べ、システム構成が複雑でコストが高くなる欠点がある。
【００１６】
この発明は、前記のような課題を解決するためになされたものであり、余分な燃料消費を抑制するとともに、過剰補正や補正不足による始動不良や発進不良を抑制し、且つアイドルストップ解除後のエンジン再始動から発進までにおいて、車両の状況に応じたエンジンのトルク量に対する最適な始動時燃料量が制御するエンジン始動制御装置を提供することを目的とする。
【課題を解決するための手段】
【００１７】
この発明に係るアイドルストップ車のエンジン始動制御装置は、歯車噛み合い式の始動装置を制御する始動制御装置において、エンジンの再始動から発進までに必要とする上記エンジンのトルク量に対応する再始動時の基本燃料量を演算する手段と、エンジンの回転抵抗に関連する第１の関連量を推定する第１の関連量推定手段と、トランスミッションの回転抵抗に関連する第２の関連量を推定する第２の関連量推定手段と、上記第１の関連量と上記第２の関連量との関連量の差に基づいて、上記基本燃料量の補正の必要性を判断する手段と、補正が必要と判断されたときに上記関連量の差に対応する燃料補正量を演算し、該燃料補正量により補正された上記基本燃料量を再始動時燃料量として設定する手段と、補正が不必要と判断されたときに上記基本燃料量を再始動時燃料量として設定する手段とを備えている。
【発明の効果】
【００１８】
この発明に係るアイドルストップ車のエンジン始動制御装置では、エンジンのトルク量に対して、再始動時の基本燃料量への補正の有無が判断でき、そのフリクションの差に応じた再始動から発進までに必要なエンジンのトルク量が満足できる最適な燃料量を設定することで、エンジンの始動性の向上や燃焼不良による発進不良および排ガスの悪化を抑制させることができる。
【図面の簡単な説明】
【００１９】
【図１】本発明の実施の形態に係るエンジン始動制御装置で始動されるエンジンおよびその周辺の構造を示す構成図である。
【図２】本発明の実施の形態によるエンジン始動制御装置の概略的な構成を示す回路図である。
【図３】エンジンの最終目標トルクの算出方法を示す図である。
【図４】アイドルストップの有無における所定の走行パターンを走行した場合のエンジンの冷却水の温度とトランスミッションの潤滑油の温度との温度推移図である。
【図５】本発明の実施の形態によるエンジン始動制御装置の再始動時の制御を概略的に示すブロック図である。
【図６】エンジンの冷却水の温度と再始動時基本燃料量との関係を示すマップである。
【図７】エンジンの冷却水の温度とエンジンのフリクションとの関係を示すマップである。
【図８】トランスミッションの潤滑油の温度とトランスミッションのフリクションとの関係を示すマップである。
【図９】エンジンとトランスミッションとのフリクションの差に応じた再始動時の燃料補正量を示すマップである。
【図１０】エンジン始動制御装置の再始動時の制御を説明するためのフローチャートである。
【発明を実施するための形態】
【００２０】
以下、本発明のエンジン始動制御装置の好適な実施の形態につき図面を用いて説明する。
実施の形態１．
図１は、本発明の実施の形態１に係るエンジン始動制御装置で始動されるエンジンおよびその周辺の構造を示す構成図である。
本発明の実施の形態１に係るエンジン始動制御装置は、ＡＴまたはＣＶＴを採用したアイドルストップ機能付き車両（以下、アイドルストップ車と称す）に搭載されている。
アイドルストップ車に搭載される走行用のエンジン１は、例えば多気筒のレシプロエンジンであり、例えば電子制御燃料噴射式のガソリンエンジンである。つまり、エンジン１は、気筒内に収められたピストンが往復運動することにより、所定の燃焼サイクル、例えば吸気行程、圧縮行程、燃焼行程、排気行程が繰り返し行われ、ピストンが連結されたクランクシャフト１ａから動力を出力する。そして、このエンジン１のクランクシャフト１ａにトランスミッション２が接続され、トランスミッション２に走行輪が接続され、走行輪に走行に必要な回転動力が出力される。
【００２１】
エンジン１の後側（出力側）の側部には、通常、使用される始動装置としてのスタータ４が設けられ、スタータ４から例えばリダクション歯車式など歯車式伝動機構３を介して回転動力がエンジン１に伝達される。
スタータ４のスタータモータ４ａの出力軸にはピニオンギヤが組付けられている。一方、ピニオンギヤと噛み合い可能な歯車式伝動機構３としてのリングギヤが、クランクシャフト１ａの後端に有るフライホイールの外周部に設けられている。つまり、スタータ４は、ピニオンギヤをエンジン１のリングギヤに突入して噛み合わせ、スタータモータ４ａからフライホイールへ回転動力を伝えることにより、エンジン１の始動が行えるようにしてある。なお、エンジン始動後、ピニオンギヤをリングギヤから離脱する。
【００２２】
エンジン１に設けられている水温センサ８からの出力をＥＣＵ１９（例えば、マイクロコンピュータを有して構成されるコントロールユニット）に入力することで、エンジン１の冷却水の温度状態をＥＣＵ１９が判断することができる。
また、トランスミッション２に設けられている油温センサ９からの出力をＥＣＵ１９に入力することで、トランスミッション２の潤滑油の温度状態をＥＣＵ１９が判断することができる。
【００２３】
図２は、スタータ４を用いたエンジン１の始動制御装置１８の構成を概略的に示す図である。
次に、エンジン１の始動制御装置１８について説明する。
スタータモータ４ａは、車載のバッテリ１０を介装した電源回路１１に接続されている。
また、スタータモータ４ａのＳ端子から延びる信号ライン１２には、スタータ用の入切り部としての常開式のリレー１３とイグニッション用のリレー１４が介装されている。
リレー１３は、例えば、開閉端子１３ａ、開閉端子１３ａを閉じるソレノイド駆動の接片１３ｂ、および、接片１３ｂを移動するソレノイド１３ｃを有する。
リレー１４は、開閉端子１４ａ、開閉端子１４ａを閉じるソレノイド駆動の接片１４ｂ、および、接片１４ｂを移動するソレノイド１４ｃを有する。
【００２４】
スタータモータ４ａのＳ端子は、信号ライン１２を介してリレー１３の開閉端子１３ａの一方の接点に接続される。リレー１３の開閉端子１３ａの他方の接点は、信号ライン１２を介してリレー１４の開閉端子１４ａの一方の接点に接続される。リレー１４の開閉端子１４ａの他方の接点は、信号ライン１６を介してコントロール用電源回路１５に接続される。
【００２５】
リレー１４のソレノイド１４ｃの一端は、図示しないイグニッションキーで操作されるイグニッションスイッチ１７に接続され、イグニッションキーをスタート位置まで操作すると、イグニッションスイッチ１７がオンされ、リレー１４が閉成される。リレー１４が閉成されると、リレー１３に制御電圧Ｖｂが供給される。
そして、イグニッションスイッチ１７がオンされ、リレー１３が閉成されると、スタータモータ４ａのＳ端子に制御電圧Ｖｂが入力され、スタータモータ４ａが作動する。
リレー１３のソレノイド１３ｃの一端は、ＥＣＵ１９に接続され、ソレノイド１３ｃの他端は、コントロール用電源回路１５に接続される。
【００２６】
ＥＣＵ１９は、車両走行中に所定の停止条件が満たされたとき、燃料噴射系や点火系を制御して、エンジン１の運転を停止させるアイドルストップ機能を有している。所定の停止条件は、例えばＡＴあるいはＣＶＴの変速レバーのポジションを検出するシフトポジションセンサがＤポジションを検出することと、車速センサが車速０ｋｍ／ｈを検出することと、ブレーキセンサがブレーキペダルが踏込まれている状態を検出することが全て満たされていることである。
【００２７】
また、ＥＣＵ１９は、アイドルストップ後、所定の再始動条件が満たされたとき、スタータ４によりエンジン１を再始動する再始動機能を有している。所定の再始動条件は、例えばシフトポジションセンサがＤポジションを検出することと、ブレーキセンサがブレーキペダルの戻りを示す信号を検出することが共に満たされていることである。
【００２８】
この再始動機能では、車両の状況に応じてエンジン１の再始動時に要求される最適な燃料量を求めている。すなわち、エンジンの始動に要求される燃料量は、エンジン１およびトランスミッション２の回転抵抗に関連する関連量（以下、「フリクション」と称す。）の大小に相関している。つまり、エンジン１およびトランスミッション２は、フリクションが小さければ、再始動に必要とする始動トルクは小さくてすみ、フリクションが大きければ、再始動に必要とする始動トルクは大きくなければならない。
また、エンジン１のフリクションが小さく、トランスミッション２のフリクションが大きい場合は、再始動に要求される始動トルクは大きくなる。そのため、フリクションの差に応じてエンジン１の再始動時に必要なエンジン１のトルク量を満足する燃料量を設定している。
【００２９】
図３は、再始動時におけるエンジン１の最終目標トルクの算出方法において、従来の算出方法と本発明の算出方法について示している。
従来の算出方法では、始動時フリクション、基本目標トルク、エンジンフリクション（水温補正トルク）、トランスミッションフリクション（作動油温補正トルク）の４つのパラメータを演算して、それぞれの演算値を加算することでエンジン１の最終目標トルクが求められる。
本発明の算出方法では、再始動時基本燃料量と再始動時燃料補正量の２つのパラメータを演算して、それぞれの演算値を加算することでエンジン１の最終目標トルクが求められる。
【００３０】
再始動時基本燃料量は、始動時フリクション、基本目標トルク、エンジンフリクションの３つを合わせたフリクションが、再始動時に必要なエンジン１のトルク量を満足する燃料量である。
再始動時燃料補正量は、トランスミッションフリクションがエンジンフリクションより大きい場合に、そのフリクションの差に応じて不足した燃料を補正する燃料量である。
【００３１】
各パラメータの演算値には、±１％程度の演算誤差が考えられ、従来の算出方法では、４つのパラメータを加算するため、±４％程度の演算誤差が発生する。
それに対して、本発明の算出方法では、２つのパラメータを加算するため、±２％程度の演算誤差に低減できる。
【００３２】
図４は、アイドルストップ機能が有無の車両を所定の走行パターンで走行した場合のエンジン１の冷却水の温度とトランスミッション２の潤滑油の温度の温度推移について示している。
例えば、車両が冷態時より発進して所定の走行パターンを走行した場合、エンジン１の冷却水の温度上昇よりもトランスミッション２の潤滑油の温度上昇が遅い傾向にある。
また、エンジン１の冷却水の温度上昇は、アイドルストップの有無に関係なく同じであるが、トランスミッション２は、アイドルストップの有無で潤滑油の温度上昇傾向に違いが発生する。
トランスミッション２の潤滑油の温度上昇は、停車時にアイドルストップを実施しない場合に比べ、アイドルストップを実施する場合の方が更に遅くなる傾向にある。すなわち、車両が冷態時から発進して走行と停車を繰り返した場合、エンジン１のフリクションとトランスミッション２のフリクションにフリクションの差が発生し、アイドルストップを実施することでその差が更に大きくなることを示している。
【００３３】
図５は、この発明の実施の形態１に係るエンジン始動制御装置での再始動時制御を概略的に示すブロック図である。
この発明の実施の形態１に係るエンジン始動制御装置は、ＥＣＵ１９に含まれるコンピュータがＲＯＭに記憶されているプログラムの命令に従って水温センサ８および油温センサ９から入力される水温および油温のデータを用いて記憶装置に記憶されているマップを検索して必要なデータを抽出する。
記憶装置には、図６にマップとして示されたエンジン１の冷却水の温度と再始動時基本燃料量との関係、図７にマップとして示されたエンジン１の冷却水の温度とエンジン１のフリクションとの関係、図８にマップとして示されたトランスミッション２の潤滑油の温度とトランスミッション２のフリクションとの関係、図９にマップとして示されたエンジン１のフリクションとトランスミッション２のフリクションとの差と再始動時燃料補正量との関係が予め実機で実験的に求められて記憶されている。
【００３４】
ＥＣＵ１９内の再始動時基本燃料量演算手段２０は、水温センサ８から水温を取得し、記憶装置からエンジン１の冷却水の温度と再始動時基本燃料量との関係のマップを取り出し、取得した水温をエンジン１の冷却水の温度として用いてマップを検索して対応する再始動時基本燃料量を抽出する。
【００３５】
ＥＣＵ１９内のエンジンのフリクション推定手段２１は、水温センサ８から水温を取得し、記憶装置からエンジン１の冷却水の温度とエンジン１のフリクションとの関係のマップを取り出し、取得した水温をエンジン１の冷却水の温度として用いてマップを検索して対応するエンジン１のフリクションを抽出する。
【００３６】
ＥＣＵ１９内のトランスミッションフリクション推定手段２２は、油温センサ９から油温を取得し、記憶装置からトランスミッション２の潤滑油の温度とトランスミッション２のフリクションとの関係のマップを取り出し、取得した油温をトランスミッション２の潤滑油の温度として用いてマップを検索してトランスミッション２のフリクションを抽出する。
【００３７】
ＥＣＵ１９内のエンジンとトランスミッションのフリクションの比較手段２３は、エンジンフリクション推定手段２１で抽出されたエンジン１のフリクションと、トランスミッションフリクション推定手段２２で抽出されたトランスミッション２のフリクションとの差を算出する。
【００３８】
ＥＣＵ１９内のフリクションの差に応じた再始動時燃料補正量の演算手段２４は、記憶装置からエンジン１のフリクションとトランスミッション２のフリクションとの差と再始動時燃料補正量との関係のマップを取り出し、フリクション比較手段２３で算出されたフリクションの差をフリクションの差として用いてマップを検索して対応する再始動時燃料補正量を抽出する。
【００３９】
ＥＣＵ１９内の再始動時最終燃料量の演算手段２５は、再始動時基本燃料量演算手段２０で抽出された再始動時基本燃料量に、再始動時燃料補正量演算手段２４で抽出された再始動時燃料補正量を加算して再始動時最終燃料量を演算する。
【００４０】
図１０は、アイドルストップしたエンジン１を再始動制御する手順を示すフローチャートである。
次に、アイドルストップしたエンジン１を再始動する制御について説明する。尚、ＥＣＵ１９は所定の周期でエンジン１を再始動する制御を開始する。
ステップＳ１において、ＥＣＵ１９は、車速センサ、ブレーキセンサ、シフトポジションセンサが検出したデータに基づいて再始動条件が成立しているか判断する。ＥＣＵ１９は、再始動条件が未成立と判断した場合にはステップＳ２に進み、ＥＣＵ１９は、再始動条件が成立と判断した場合にはステップＳ３に進む。
ステップＳ２において、ＥＣＵ１９は、アイドルストップ状態を継続して再始動制御を終了する。
【００４１】
ステップＳ３において、ＥＣＵ１９は、エンジン１の水温センサ８からのエンジン１の冷却水の温度情報を用いて、記憶装置に記憶されているエンジン１の冷却水の温度と再始動時基本燃料量との関係を示すマップを検索して、対応する再始動時基本燃料量を抽出する。
次に、ステップＳ４において、ＥＣＵ１９は、エンジン１の水温センサ８からのエンジン１の冷却水の温度情報を用いて、エンジン１の冷却水の温度とエンジン１のフリクションとの関係を示すマップを検索して、エンジン１のフリクションをエンジン１の回転抵抗に関連する関連量（Ｆｅｕｇ）とする。
【００４２】
次に、ステップＳ５において、ＥＣＵ１９は、トランスミッション２の油温センサ９からのトランスミッション２の潤滑油の温度情報を用いて、トランスミッション２の潤滑油の温度とトランスミッション２のフリクションとの関係を示すマップを検索して、トランスミッション２のフリクションをトランスミッション２の回転抵抗に関連する関連量（Ｆｔｒａｎｓ）とする。
次に、ステップＳ６において、ＥＣＵ１９は、ステップＳ４において求めたトランスミッション２の回転抵抗に関連する関連量（Ｆｔｒａｎｓ）がステップＳ３において求めたエンジン１の回転抵抗に関連する関連量（Ｆｅｎｇ）を超えているか否かを判断し、超えている場合ステップＳ７に進み、以下の場合ステップＳ１０に進む。
【００４３】
ステップＳ７において、ＥＣＵ１９は、トランスミッション２の回転抵抗に関連する関連量（Ｆｔｒａｎｓ）からエンジン１の回転抵抗に関連する関連量（Ｆｅｎｇ）を減算してフリクション差を求める。
次に、ステップＳ８において、ＥＣＵ１９は、記憶装置に記憶されているエンジン１のフリクションとトランスミッション２のフリクションとの差と再始動時燃料補正量との関係を示すマップをフリクションの差によって検索して対応する再始動時燃料補正量を抽出する。
次に、ステップＳ９において、ＥＣＵ１９は、ステップＳ８において求めた再始動時基本燃料量にステップＳ７において求めた再始動時燃料補正量を加算して再始動時最終燃料量を算出してステップＳ１１に進む。
ステップＳ１０において、ＥＣＵ１９は、エンジン１のフリクションに必要なエンジンのトルク量が満足できる再始動時基本燃料量を再始動時最終燃料量と設定してステップＳ１１に進む。
ステップＳ１１において、ＥＣＵ１９は、リレー１３をオンして、スタータ４を作動させてエンジン１を再始動時最終燃料量に基づいて再始動する。
【００４４】
この発明の実施の形態１に係るエンジン１の始動制御装置は、車両の状況に応じたエンジン１のトルク量に対する最適な始動時燃料量が算出されるので、アイドルストップ解除後のエンジン再始動から発進までの始動性および発進性を向上することができる。
【００４５】
また、システム構成が簡素な歯車噛み合い式の始動装置であり、エンジン１の冷却水の温度情報とトランスミッション２の潤滑油の温度情報より、エンジン１およびトランスミッション２のフリクションを推定し、推定されたフリクションを比較することで車両の状況を判断し、比較結果から得られたフリクションの差により再始動から発進までに必要とされるエンジンのトルク量を推定し、フリクションの差に応じた最適な再始動時の燃料量を設定することが可能となり、従来のように始動性および発進性を確保するために、予め再始動時の燃料量を増量設定しておく必要はないため、余分な燃料消費を抑制できる。
【００４６】
また、再始動時に必要なエンジンの最終目標トルクに応じて、予め実機で実験的にマッチングした再始動時基本燃料量へ、トランスミッション２のフリクションがエンジン１のフリクションより大きい場合のみ、再始動時基本燃料量へフリクションの差に応じた再始動燃料補正量を加算して、最終的な再始動時の燃料量を設定している。すなわち、再始動時に演算するパラメータは、再始動時基本燃料量とフリクションの差に応じて加算する再始動時燃料補正量の２つであるため、パラメータを加算した際の演算誤差が従来に比べ低減でき、過剰補正や補正不足による始動不良や発進不良を抑制させることが可能な始動制御装置を提供する。
【００４７】
また、予め実機で実験的に求めておくパラメータが、再始動時基本燃料量、再始動時燃料補正量の２つであるため、マッチングの工数についても低減できる。
【符号の説明】
【００４８】
１  エンジン、１ａ  クランクシャフト、２  トランスミッション、３  歯車式伝動機構、４  スタータ、４ａ  スタータモータ、８  水温センサ、９  油温センサ、１０  バッテリ、１１  電源回路、１２  信号ライン、１３  リレー、１３ａ  開閉端子、１３ｂ  接片、１３ｃ  ソレノイド、１４  リレー、１４ａ  開閉端子、１４ｂ  接片、１４ｃ  ソレノイド、１５  コントロール用電源回路、１６  信号ライン、１７  イグニッションスイッチ、１８  始動制御装置、１９  ＥＣＵ、２０  再始動時基本燃料量演算手段、２１  エンジンフリクション推定手段、２２  トランスミッションフリクション推定手段、２３  フリクション比較手段、２４  再始動時燃料補正量演算手段、２５  再始動時最終燃料量演算手段。
【図１】
2012067726.tif 000003
【図２】
2012067726.tif 000004
【図３】
2012067726.tif 000005
【図４】
2012067726.tif 000006
【図５】
2012067726.tif 000007
【図６】
2012067726.tif 000008
【図７】
2012067726.tif 000009
【図８】
2012067726.tif 000010
【図９】
2012067726.tif 000011
【図１０】
2012067726.tif 000012
【手続補正書】
【提出日】平成23年12月9日(2011.12.9)
【手続補正１】
【補正対象書類名】明細書
【補正対象項目名】００１７
【補正方法】変更
【補正の内容】
【００１７】
この発明に係るアイドルストップ車のエンジン始動制御装置は、歯車噛み合い式の始動装置を制御する始動制御装置において、エンジンの再始動から発進までに必要とする上記エンジンのトルク量に対応する再始動時の基本燃料量を演算する手段と、エンジンの回転抵抗に関連する第１の関連量を推定する第１の関連量推定手段と、トランスミッションの回転抵抗に関連する第２の関連量を推定する第２の関連量推定手段と、上記第１の関連量と上記第２の関連量との関連量の差に基づいて、上記基本燃料量の補正の必要性を判断する手段と、補正が必要と判断されたときに上記関連量の差に対応する燃料補正量を演算し、該燃料補正量により補正された上記基本燃料量を再始動時燃料量として設定する手段と、補正が不必要と判断されたときに上記基本燃料量を再始動時燃料量として設定する手段とを備え、上記再始動時の基本燃料量を演算する手段は、予め実機で実験的に求められた上記エンジンの冷却水の温度と再始動時基本燃料量との関係を示すマップを水温センサからの水温により検索して上記基本燃料量を演算する。
【手続補正２】
【補正対象書類名】特許請求の範囲
【補正対象項目名】全文
【補正方法】変更
【補正の内容】
【特許請求の範囲】
【請求項１】
歯車噛み合い式の始動装置を制御する始動制御装置において、
エンジンの再始動から発進までに必要とする上記エンジンのトルク量に対応する再始動時の基本燃料量を演算する手段と、
エンジンの回転抵抗に関連する第１の関連量を推定する第１の関連量推定手段と、
トランスミッションの回転抵抗に関連する第２の関連量を推定する第２の関連量推定手段と、
上記第１の関連量と上記第２の関連量との関連量の差に基づいて、上記基本燃料量の補正の必要性を判断する手段と、
補正が必要と判断されたときに上記関連量の差に対応する燃料補正量を演算し、該燃料補正量により補正された上記基本燃料量を再始動時燃料量として設定する手段と、
補正が不必要と判断されたときに上記基本燃料量を再始動時燃料量として設定する手段と
を備え、
上記再始動時の基本燃料量を演算する手段は、予め実機で実験的に求められた上記エンジンの冷却水の温度と再始動時基本燃料量との関係を示すマップを水温センサからの水温により検索して上記基本燃料量を演算する
ことを特徴とするアイドルストップ車のエンジン始動制御装置。